(57)【要約】【課題】本発明は、塵埃収容部を掃除機本体から容易に取り外すことが可能で、かつ塵埃収容部が掃除機本体に取り付けられた状態では、塵埃収容部の蓋体が開かない電気掃除機を提供する。【解決手段】掃除機本体と、該掃除機本体に着脱可能な塵埃収容部を備え、前記塵埃収容部は、塵埃を収容する集塵ケースと、ヒンジを介して該集塵ケースと回動可能に取り付けられた蓋部と、を備え、前記集塵ケースと前記蓋部とを係止する係止部と、該係止部による係止を解除する解除ボタンと、を有し、前記塵埃収容部が前記掃除機本体に取り付けられた状態において、前記蓋部における前記ヒンジが取り付けられている面の一部と当接する部材を有する。【選択図】図１６
2014008301.tif 000002
【特許請求の範囲】
【請求項１】
掃除機本体と、該掃除機本体に着脱可能な塵埃収容部を備え、
前記塵埃収容部は、塵埃を収容する集塵ケースと、ヒンジを介して該集塵ケースと回動可能に取り付けられた蓋部と、を備え、
前記集塵ケースと前記蓋部とを係止する係止部と、該係止部による係止を解除する解除ボタンと、を有し、
前記塵埃収容部が前記掃除機本体に取り付けられた状態において、前記蓋部における前記ヒンジが取り付けられている面の一部と当接する部材を有することを特徴とする電気掃除機。
【請求項２】
前記塵埃収容部は、前記掃除機本体に対する着脱用にハンドルを備え、前記ハンドルに手を挿入して掃除機本体から取り外した際に、前記ハンドルを持っている手で前記蓋部の係止を解除できる位置に前記解除ボタンを設けたことを特徴とする請求項１に記載の電気掃除機。
【請求項３】
前記塵埃収容部は、前記掃除機本体に対する着脱用のハンドルを備え、前記ハンドルに手を挿入した際、親指を除く指の腹面と親指の腹面が対向し、前記親指の腹面にて解除できる位置に前記解除ボタンを設けたことを特徴とする請求項１または請求項２に記載の電気掃除機。
【請求項４】
前記集塵収容部の着脱用のハンドル部は、前記集塵収容部を掃除機本体から取り外す際回動可能なように設けられたことを特徴とする請求項１から請求項３に記載の電気掃除機。
【請求項５】
前記集塵収容部の着脱用の回動可能なハンドル部は、所定の角度で回動規制がかかる構成としたことを特徴とする請求項１から請求項４に記載の電気掃除機。
【請求項６】
請求項１乃至請求項５の何れか１項に記載の電気掃除機において、
前記集塵ケースは下面を有し、前記蓋部は下面を有し、
前記集塵ケースの下面と前記蓋部の下面はヒンジを介して連結されており、
前記蓋部における前記ヒンジが取り付けられている面とは、前記蓋部の下面であり、
前記部材は、前記掃除機本体あるいは塵埃分離部であることを特徴とする電気掃除機。
【発明の詳細な説明】
【技術分野】
【０００１】
本発明は、掃除機本体から着脱可能な塵埃収容部を備えた電気掃除機に関する。
【背景技術】
【０００２】
サイクロン方式の電気掃除機は、塵埃を収容する着脱可能な塵埃収容部を備えている。また、このような電気掃除機は、塵埃収容部に溜まった塵埃を廃棄する際、塵埃廃棄口を開閉するための蓋部を備え、この蓋部を係止状態から解除するためのクランプ部材を備えている（特許文献１参照）。特許文献１に記載の電気掃除機では、掃除機本体の蓋体が塵埃収容部に設けられたクランプ部材を覆うように設けられているため、掃除機本体に塵埃収容部が取り付けられた状態でクランプ部材を操作することができないようにし、誤操作を防止することができる。
【先行技術文献】
【特許文献】
【０００３】
【特許文献１】特開２００７−２４４４７７号公報
【発明の概要】
【発明が解決しようとする課題】
【０００４】
しかしながら、特許文献１に記載の電気掃除機では、塵埃収容部を覆うように掃除機本体の蓋体が備えられており、塵埃収容部に溜まった塵埃を廃棄する際、まず掃除機本体の蓋体を開け、塵埃収容部に設けられたハンドルを掴んで塵埃収容部を取り出してから、塵埃収容部の蓋部を係止状態から解除するためのクランプ部材を操作する必要があった。
【０００５】
本発明は、塵埃収容部を掃除機本体から容易に取り外すことが可能で、かつ塵埃収容部が掃除機本体に取り付けられた状態では、塵埃収容部の蓋体が開かない電気掃除機を提供することを課題とする。
【課題を解決するための手段】
【０００６】
本発明は、掃除機本体と、該掃除機本体に着脱可能な塵埃収容部を備え、前記塵埃収容部は、塵埃を収容する集塵ケースと、ヒンジを介して該集塵ケースと回動可能に取り付けられた蓋部と、を備え、前記集塵ケースと前記蓋部とを係止する係止部と、該係止部による係止を解除する解除ボタンと、を有し、前記塵埃収容部が前記掃除機本体に取り付けられた状態において、前記蓋部における前記ヒンジが取り付けられている面の一部と当接する部材を有することを特徴とする。
【発明の効果】
【０００７】
本発明によれば、塵埃収容部を掃除機本体から容易に取り外すことが可能で、かつ塵埃収容部が掃除機本体に取り付けられた状態では、塵埃収容部の蓋体が開かない電気掃除機を提供することができる。
更には、塵埃収容部の着脱用のハンドル部に手を挿入した際、親指を除く指の腹面と親指の腹面が対向して解除できる位置にクランプを設けたことで、指が楽な体勢で操作することができ、使い勝手の良い電気掃除機を提供できる。
更には、塵埃収容部の取り外し用のハンドルを回動可能に設けることで、指を入れるスペースを確保することができるため、小型な電気掃除機を提供できる。
更には、塵埃収容部の取り外し用のハンドルの回動範囲に回動規制部を設けたことで
蓋部を解除する際の操作が楽になり、使い勝手の良い電気掃除機を提供できる。
【図面の簡単な説明】
【０００８】
【図１】本発明の一実施形態に係る電気掃除機の全体を示す外観斜視図である。
【図２】サイクロン集塵装置を示す正面図である。
【図３】サイクロン集塵装置を示す分解斜視図である。
【図４】塵埃収容部を示す平面図である。
【図５】蓋部を開放させたときの塵埃収容部を示す斜視図である。
【図６】サイクロン集塵装置を掃除機本体に装着したときの縦断面図である。
【図７】塵埃収容部の上カバーを上方から見たときの分解斜視図である。
【図８】塵埃収容部の上カバーを下方から見上げたときの分解斜視図である。
【図９】塵埃収容部の一部分解斜視図である。
【図１０】（ａ）は図４のＢ−Ｂ線断面図、（ｂ）は図４のＣ−Ｃ線断面図である。
【図１１】蓋部を開放したときの塵埃収容部を図４のＢ−Ｂ線に対応する位置で切断したときの断面図である。
【図１２】蓋部を開放したときの塵埃収容部を図４のＣ−Ｃ線に対応する位置で切断したときの断面図である。
【図１３】塵埃分離部を示す上面図である。
【図１４】塵埃収容部を示す下面図である。
【図１５】塵埃収容部にティッシュを装着するときの手順を示し、（ａ）は蓋部を閉める前の状態、（ｂ）は蓋部を閉めた後の状態である。
【図１６】蓋部を開放するときの手順を示し、（ａ）は蓋部開放前の手の状態を示す断面図、（ｂ）は蓋部開放後の手の状態を示す断面図である。
【図１７】図６のＡ部拡大図である。
【図１８】（ａ）は軸が傾斜した塵埃収容部の抜き取り可能な範囲を示す概略図、  （ｂ）は抜き方向が装着方向に対して９０度よりも大きいときの作用図、（ｃ）は抜き方向が装着方向に対して９０度のときの作用図、（ｄ）は軸が鉛直方向である塵埃収容部の抜き取り可能な範囲を示す概略図である
【発明を実施するための形態】
【０００９】
図１は、本発明の一実施形態に係る電気掃除機の全体を示す外観斜視図である。
電気掃除機１００は、掃除機本体１、吸引ホース２、手元ハンドル３、手元操作部４、延長管６、吸口体７、サイクロン集塵装置１０、掃除機本体１を自在に移動できる車輪１１などを備えている。
【００１０】
掃除機本体１は、吸引ホース２を取り付けるホース取り付け口１２、吸引力を発生させる電動送風機（不図示）などを備えている。なお、図示していないが，掃除機本体１の外郭をなす本体ケースの内側には，電力を供給するためのコードリールが設けられている。
【００１１】
手元操作部４に設けられた操作ボタン５のうちの電源ボタンが使用者によってＯＮされると，電動送風機（不図示）が作動し、吸引力を発生する。吸口体７から吸込まれた空気および空気と共に吸込まれた塵埃は、延長管６、吸引ホース２、掃除機本体１の順に導かれる。
【００１２】
図２は、サイクロン集塵装置を示す正面図である。
サイクロン集塵装置１０は、塵埃分離部２０と、塵埃収容部３０と、を有し、後記する図３のように塵埃分離部２０と塵埃収容部３０とに分割できる形態である。塵埃収容部３０は、塵埃分離部２０よりも上部に位置している。
【００１３】
塵埃収容部３０は、集塵ケース４０と、この集塵ケース４０に開閉可能に取り付けられた蓋部５０と、手で把持する部分を有するハンドル６１と、蓋部５０を開放するための解除ボタン６２と、を有している。なお、図２では、サイクロン集塵装置１０を鉛直方向に起立させた状態で図示しているが、実際の使用状態では、図１に示すように、サイクロン集塵装置１０を下側が上側よりも掃除機本体１の前方に位置するように掃除機本体１に対して傾斜した状態で装着される。
【００１４】
図３は、サイクロン集塵装置を示す分解斜視図である。
サイクロン集塵装置１０の塵埃分離部２０は、略円筒形状を呈する外筒２１を有し、この外筒２１の軸方向の下面に、ホース取り付け口１２（図１参照）と接続される入口管２２が形成されている。
【００１５】
また、塵埃分離部２０の上面２０ａの略中央には、円形の開口２７が形成され、この開口２７の縁部には円筒形状で上方に向けて拡径するシール部材２７ｓが設けられている。また、上面２０ａには、開口２７の前方に、幅広形状の連絡路２６が開口し、この連絡路２６の縁部には筒形状のシール部材２６ｓが設けられている。また、開口２７および連絡路２６は、入口管２２と連通している。
【００１６】
また、塵埃分離部２０の上面２０ａには、一対のガイド部２０ｂ，２０ｂが突出して形成されている。また、上面２０ａには、後記する塵埃収容部３０の下端の外周面（前面および側面）が当接して案内する案内部２０ｃが形成されている。なお、ガイド部２０ｂの詳細については後記する（図１３参照）。
【００１７】
サイクロン集塵装置１０の塵埃収容部３０は、略筒形状を呈し、集塵ケース４０の前方に蓋部５０が設けられている。また、塵埃収容部３０は、集塵ケース４０および蓋部５０の上部に、ハンドル６１および解除ボタン６２を備えた上カバー６０を備えている。上カバー６０の周面は、集塵ケース４０の左側面４０ｃ（図２参照）、右側面４０ｄおよび蓋部５０外面に沿う扁平形状を呈し、かつ、前後にかけて前側が後側よりも低くなるように傾斜している。
【００１８】
図４は、塵埃収容部を示す平面図である。
塵埃収容部３０の上カバー６０には、平面視において略矩形状のハンドル６１が設けられるとともに、ハンドル６１の前方に解除ボタン６２が設けられている。ハンドル６１は、使用者の手（指）を掛ける前板部６１ａを有し、この前板部６１ａの前方近くに解除ボタン６２が設けられている。解除ボタン６２は、押下げ操作されることで、蓋部５０（図３参照）が開放する。
【００１９】
このように、ハンドル６１の前方近傍に蓋部５０のロックを解除する解除ボタン６２を設けることにより、ハンドル６１の前板部（持ち手部）６１ａに対して、後方から手の平を上にして指を挿入したとき、あるいは前方から手の甲を上にして指を掛けるように挿入したときのどちらであっても、解除ボタン６２を例えば親指で押すことができ、塵埃収容部３０の取り扱い性を向上できる。
【００２０】
図５は、蓋部を開放させたときの塵埃収容部を示す斜視図である。
集塵ケース４０は、前部に略矩形状を呈する開口部４０ｓが形成されている。なお、この開口部４０ｓによって形成される開口を含む面が開口面Ｍ１に相当する。ちなみに、集塵ケース４０を、集塵ケース４０の軸方向に平行な開口面Ｍ１としたのは、集塵ケース４０の軸方向に直交する方向で切断した開口面にすると、電気掃除機１００を小型化するにあたって塵埃収容部３０を小型化した場合、開口面の開口面積を大きく確保できないからである。
【００２１】
また、集塵ケース４０には、集塵かご４１と集塵フィルタ４３（図６参照）が内包されている。
【００２２】
集塵かご４１は、断面視（側面視）において略台形状を呈し、上下に分割された上容器（支骨）４１ａと下容器（支骨）４１ｂとが後部の蝶番４１ｃ（図６参照）を介して連結され、ゴミ捨て時には、上容器４１ａと下容器４１ｂが蝶番４１ｃ（図６参照）により上下方向に開きながら、下容器４１ｂの下端に設けられた軸４１ｄ（一方のみ図示）を中心として回動するようになっている。なお、軸４１ｄは、集塵ケース４０の左右側面４０ｃ，４０ｄ（図２参照）の内壁面に回動自在に支持されている。なお、集塵かご４１は、凹面が開口部４０ｓ側を向いていればよく、それ以外の形状が特に限定されるものではない。
【００２３】
また、集塵かご４１の前後方向の断面形状は、略四角形状であってもよいし、略円形状であってもよいし、略三角形状であってもよい。好ましくは、開口する側（前側）から底面側（後側）へ向けて断面が小さくなるように形成されているのがよい。このように形成することによって、塵埃が排出される側（開口側）に向けて断面積が拡がるため、使用者は、集塵かご４１内に堆積した塵埃を容易に排出することができる。
【００２４】
また、集塵かご４１は、枠体４１ｅ（支骨）を有しており、開口を除く底面、上下左右面に、金属やナイロン等からなるメッシュ部材４１ｆ（一部のみ図示）が被覆、貼着またはインサート成形などにより構成されている。このように、集塵かご４１の底面だけでなく、上下左右面にも通気性を持たせることによって、集塵かご４１の底面に塵埃が堆積しても流路を確保することができる。これにより、吸い込み空気の圧力損失を低減し、吸引力の低下を抑制することができる。
【００２５】
蓋部５０は、集塵ケース４０の前側の開口部４０ｓ（開口面Ｍ１）を開閉するものであり、蓋部５０内に、集塵かご４１に対して凹面が互いに対向するように形成された凹部５２が形成されている。なお、凹部５２の開口部５２ａの開口面積は、集塵かご４１の開口面積と略同じに形成されている。
【００２６】
凹部５２の傾斜面（底面）５２ａ１には、弾性材からなる扁平な逆止弁５３が設けられている。
【００２７】
また、蓋部５０の下部は、ヒンジ部５４を介して集塵ケース４０の下部と回動可能に連結されている。これにより、蓋部５０は、集塵ケース４０の開口面Ｍ１に対して開口面Ｍ１から離れる方向に下向きに回動するように構成されている。
【００２８】
図６は、サイクロン集塵装置を掃除機本体に装着したときの縦断面図である。
図６に示すように、サイクロン集塵装置１０は、掃除機本体１の前部に、上部が下部よりも後方に位置する後傾姿勢となるようにして装着される。サイクロン集塵装置１０は、その軸方向が鉛直方向に対して傾斜するように配置される。これにより、サイクロン集塵装置をその軸方向を鉛直方向にして構成した場合よりも、サイクロン集塵装置１０を含む掃除機本体１を小型化することが可能になる。また、サイクロン集塵装置１０の塵埃収容部３０は、背面側が掃除機本体１に支持され、底面側が塵埃分離部２０に支持されている。つまり、塵埃収容部３０を前方から側面の外周面にかけて支持するような部材は設けられていない。
【００２９】
集塵ケース４０は、上面４０ａ、底面４０ｂ、左側面４０ｃ（図２参照）および右側面４０ｄ（図３参照）を有する略四角筒状に形成され、前側（正面側）と後側（背面側）とがそれぞれ開口する開口部４０ｓ，４０ｆを有している。
【００３０】
集塵かご４１は、集塵ケース４０の底側の前部に設けられた支持部４２に回動自在に連結されている。支持部４２には、ねじりコイルばね４２ａ（図１１参照）が設けられ、ねじりコイルばね４２ａ（図１１参照）の付勢力によって集塵ケース４０の前方へ集塵かご４１が飛び出すように構成されている（図５参照）。このとき、集塵ケース４０から集塵かご４１が飛び出す勢いにより，集塵かご４１に捕集した塵埃を例えばごみ箱に排出することができる。
【００３１】
メッシュ部材４１ｆは、通気性があり、塵埃を捕集するフィルタ機能を有する。なお、塵埃を捕集するフィルタ機能を有するものであれば、メッシュ部材４１ｆの代わりに使い捨てのティッシュペーパでもよいし、メッシュ部材４１ｆとティッシュペーパとを組み合わせてもよい。メッシュ部材４１ｆの上にティッシュペーパを装着して使用することにより、集塵かご４１内のごみ捨て処理が容易になる。
【００３２】
図６に示すように、蓋部５０には、凹部５２と接続される連絡路５１が下方に延びて形成されている。連絡路５１は、下方の塵埃分離部２０側に向けて延び、底面５０ａに形成された開口５０ａ１に接続されている。この連絡路５１は、集塵ケース４０の開口部４０ｓ（開口面Ｍ１）に対して略平行に延びているが、蓋部５０に設けられた凹部５２によって、空気の流れを開口面Ｍ１の方向に転向させることができるようになっている。この凹部５２は、流れを整流するために設けられている。なお、凹部５２は、図示したような断面が台形となるような形状でもよいし、凹部５２の上部を断面視円弧状にしてより整流させることも可能である。つまり、凹部５２は、集塵かご４１の開口面Ｍ１に向かって拡大する断面形状である。
【００３３】
このように、集塵ケース４０の開口面Ｍ１が、連絡路５１の塵埃の導入方向（塵埃導入方向）と略平行になるように構成されている。
【００３４】
また、逆止弁５３は、凹部５２の連絡路５１が接続される面に設けられ、連絡路５１側から凹部５２側への流れのみを許容するようになっている。ちなみに、逆止弁５３は、凹部５２の連絡路５１と連通する面（下面）である傾斜面５２ａ１に取り付けられているが、このように凹部５２を断面台形状にすると、連絡路５１の出口を水平にした場合よりも出口の開口面積を大きくすることができ、逆止弁５３を凹部５２に固定する際の固定部を十分に確保できる。
【００３５】
また、逆止弁５３を固定する際の固定部は，集塵かご４１側に設けるとよい。これにより、電気掃除機１００（図１参照）の運転を終了したときに、砂などの重い細かな塵埃が、塵埃分離部２０に落下するのを防止できる。
【００３６】
また、蓋部５０の上面５０ｂには、後記するロック部材６６と係合する鉤状の被係合突起５６が形成されている。
【００３７】
なお、蓋部５０の正面は、透明な樹脂などで構成することで、蓋部５０を閉じたまま集塵かご４１に堆積する塵埃を確認できるようになっている。
【００３８】
なお、塵埃分離部２０は、略円筒形状を呈する外筒２１を有し、この外筒２１の軸方向の下面に、ホース取り付け口１２（図１参照）と接続される入口管２２が形成されている。
【００３９】
外筒２１内には、入口管２２と連通する導入部２３、塵埃収容部３０の集塵ケース４０と連通する内筒２４、導入部２３と内筒２４とを連通させて、ホース取り付け口１２から掃除機本体１内に流入した空気および空気とともに吸込まれた塵埃を旋回させる旋回路２５が設けられている。また、内筒２４には、複数の貫通孔２４ａが形成されている。また、外筒２１の外周側には、旋回路２５と蓋部５０（連絡路５１）とを連通させる連絡路２６が形成されている。
【００４０】
なお、内筒２４の貫通孔２４ａは，金属やナイロンやポリエステルなどで構成されたメッシュ部材が、被覆またはインサート成形などにより貼着されていてもよい。また、菌の繁殖を抑制できるように、抗菌作用のある金属（例えば，銀）や抗菌物質（例えば，銀）を含有するあるいは塗布された金属（例えば，ステンレス）で構成させてもよい。
【００４１】
導入部２３は、凹形状を呈し、入口管２２に対して凹面が向くように配置されている。よって、入口管２２から導入された塵埃等を含む空気は、凹面の底面に衝突した後、凹面の側面に沿って流れ、旋回路２５に流れ込む。
【００４２】
内筒２４は、外筒２１の径方向の中央に形成され、導入部２３の背面側に位置している。また、内筒２４に形成された貫通孔２４ａからは軽い塵埃が通過する。また、内筒２４の下流端は、集塵ケース４０の底面４０ｂに形成された開口４０ｔと連通している。
【００４３】
旋回路２５は、導入部２３および内筒２４の外側に形成され、空気と塵埃とを遠心力により分離する機能を有している。
【００４４】
連絡路２６は、上流端が旋回路２５と連通し、下流端が蓋部５０に形成された連絡路５１と連通するように構成されている。なお、サイクロン集塵装置１０には、シール部材２６ｓ，５１ｓ，２７ｓが設けられ、気密性を確保するようになっている。すなわち、図６に示すように、シール部材２６ｓは、連絡路２６と開口５０ａ１との間の気密性を確保するためのシール部材（パッキン）であり、シール部材５１ｓは、連絡路５１と蓋部５０との間の気密性を確保するためのシール部材（パッキン）であり、シール部材２７ｓは、開口４０ｔの気密性を確保するためのシール部材（パッキン）である。また、シール部材２６ｓは、塵埃収容部３０内で気密性を確保するために設けられており、シール部材５１ｓ，２７ｓは、塵埃分離部２０と塵埃収容部３０との間での気密性を確保するために設けられている。
【００４５】
このように構成されたサイクロン集塵装置１０では、ホース取り付け口１２から掃除機本体１内に流入した空気および空気と共に吸込まれた塵埃が、入口管２２から導入部２３に導入されると、導入部２３内の正面の壁面に衝突して、旋回路２５に向けて導入され、旋回路２５を旋回する。この旋回による遠心分離作用で空気と塵埃を分離する。遠心分離作用により、外周側の空気には塵埃が多く含まれ、逆に内周側の空気には塵埃が少なくなる。
【００４６】
また、集塵ケース４０には、集塵フィルタ４３が、ヒンジ部４４（図５参照）を中心として開閉可能（回動可能）に設けられている。なお、集塵フィルタ４３は、集塵ケース４０の開口部４０ｆに装着された状態において、その後面が掃除機本体１の図示しない吸気ダクトに当接するようになっている。
【００４７】
なお、集塵フィルタ４３は、プリーツ状に折られたものであり、例えば、高密度のＨＥＰＡフィルタ（High Efficiency Particulate Air Filter）を用いることができる。ＨＥＰＡフィルタは、定格風量で粒径が０.３μｍの粒子に対して９９.９７％以上の粒子捕集率を有し、かつ初期圧力損失が２４５Ｐａ以下の性能を有している。
【００４８】
集塵フィルタ４３の山折りの折り線方向は、縦方向（重力作用方向）であることが好ましい。これは、集塵フィルタ４３よりも下流側（掃除機本体１側）に、集塵フィルタ４３に衝撃を与えて集塵フィルタ４３に堆積した塵埃を除去するための除塵機構が備えられている場合，折り方向が縦方向である方が集塵フィルタ４３に付着した細塵を下方に落下させて除去し易いからである。なお，山折りの折り線方向が斜めに配置されていても構わない。
【００４９】
図６において実線太矢印で示すように、遠心分離後の塵埃を多く含んだ空気は、連絡路２６，５１を通り、蓋部５０の凹部５２の形状に沿って集塵かご４１の開口方向に向きを変え、集塵かご４１に塵埃が堆積する。集塵かご４１を通過した空気は、電動送風機（不図示）内に吸引される。
【００５０】
また、図６において破線太矢印で示すように、塵埃分離部２０の遠心分離作用によって分離できず、内筒２４の貫通孔２４ａを通過した軽い塵埃は、開口２７，４０ｔを通って集塵ケース４０内に入り、集塵フィルタ４３によって捕集される。集塵フィルタ４３を通過した空気は、電動送風機（不図示）内に吸引される。
【００５１】
図７は塵埃収容部の上カバーを上方から見たときの分解斜視図、図８は塵埃収容部の上カバーを下方から見上げたときの分解斜視図である。
図７に示すように、上カバー６０は、略矩形状を呈する第１凹部６０ａを有している。第１凹部６０ａ内の底面の一部には、下方に貫通する貫通孔６０ｂが形成されている。また、第１凹部６０ａ内の左右側面６０ａ１は、内側に向けて若干突出して形成されるとともに、前後方向の中央寄りにハンドル６１を回動可能に支持する軸穴６０ｃが形成されている（左側のみ図示）。
【００５２】
また、軸穴６０ｃよりも後方に位置する側面６０ａ１の上端は、後方に向けて下降するようにテーパ部６０ｄが形成されている。なお、図示省略しているが、右側の側面６０ａ１についても、左側の側面６０ａ１と同様に軸穴およびテーパ部が形成されている。
【００５３】
また、第１凹部６０ａ内の後端部には、幅方向の両側に、上方に突出する略台形状の突出部６０ｅ，６０ｅが形成されている。この突出部６０ｅの上面６０ｅ１は、テーパ部６０ｄと面一となるように後方に向けて下降するように傾斜している。
【００５４】
また、突出部６０ｅと突出部６０ｅとの間には、幅方向の中央に、上方に突出するばね支持部６０ｆが形成されている。このばね支持部６０ｆは、左右方向に幅をもって形成され、幅方向の中央部に後方に向けて突出するばね支持突起６０ｆ１（図１０（ａ）を合わせて参照）が形成されている。
【００５５】
また、第１凹部６０ａ内の後面６０ａ２には、前記ばね支持部６０ｆと対向する位置に、略横長矩形状の貫通孔６０ｇが形成されている。また、ばね支持部６０ｆと突出部６０ｅとの間には、後記する係合突起６４の被押圧部６４ｂが前後方向にスライドするスライド部６０ｈが形成されている。
【００５６】
上カバー６０には、第１凹部６０ａの前方の近傍に、略矩形状の第２凹部６０ｍが形成されている。第２凹部６０ｍの底面６０ｍ１には、幅方向の中央に圧縮コイルばね６３を支持するガイド突起６０ｎが形成されるとともに、ガイド突起６０ｎの右側近傍に後記するロック解除ピン６２ｃが挿通される貫通孔６０ｐが形成されている。
【００５７】
また、第２凹部６０ｍの左右側面６０ｍ２には、解除ボタン６２が係合する係合孔６０ｑが形成されている。なお、図７では、左側の係合孔６０ｑのみを図示しているが、右側の係合孔についても左右対称にして同様に構成されている。
【００５８】
ハンドル６１は、塵埃収容部３０の塵埃を廃棄する際および塵埃収容部３０を掃除機本体１から取り外す際に操作されるものであり、第１凹部６０ａ内に収容可能な形状であり、ハンドル６１が操作されていないときには、上カバー６０の表面とハンドル６１の表面（上面）とが略面一となるように構成されている（図３参照）。また、ハンドル６１は、前板部６１ａ（持ち手部）と、後板部６１ｂと、左右の側板部６１ｃ，６１ｃとで平面視において略矩形状に形成されている（図４参照）。
【００５９】
前板部６１ａは、上板６１ａ１と前板６１ａ２とで構成され、塵埃収容部３０の前側に位置している。また、上板６１ａ１の下方には、使用者が指（親指を除く四指）を挿入できる空間が形成されている。前板６１ａ２の下端には、前方に突出するフランジ部６１ａ３が幅方向に沿って形成されている。
【００６０】
後板部６１ｂは、上板６１ｂ１と前内板６１ｂ２とで構成され、塵埃収容部３０の後側に位置している。また、後板部６１ｂは、第１凹部６０ａ内に位置する突出部６０ｅおよびばね支持部６０ｆを上方から覆うように構成されている。
【００６１】
図８に示すように、上板６１ｂ１の下面には、下方に向けて突出する押圧突起６１ｅ，６１ｅが形成されている。この押圧突起６１ｅは、後記する係合突起６４の被押圧部６４ｂと対応する位置に配置されている。
【００６２】
側板部６１ｃは、前板部６１ａと後板部６１ｂとを繋ぐことで、前板部６１ａと後板部６１ｂとの間に、指を挿入するための挿入部６１ｓが形成されている。また、側板部６１ｃ，６１ｃの外面には、軸部６１ｄ，６１ｄが側方に向けて突設され、軸部６１ｄ，６１ｄが前記した軸穴６０ｃに軸支される。
【００６３】
したがって、使用者がハンドル６１の前板部６１ａに指を掛けることにより、塵埃収容部３０が軸部６１ｄを支点として回動するようになっている。このとき、軸部６１ｄより後方の後板部６１ｂは、第１凹部６０ａ内に潜り込むように動作する。
【００６４】
解除ボタン６２は、第２凹部６０ｍ（図７参照）内に収容され、第２凹部６０ｍの開口に沿う形状の操作面６２ａを有している。操作面６２ａの左右両端には、下方（第２凹部６０ｍ）に垂下する係合爪６２ｂ，６２ｂが形成されている。また、操作面６２ａの下面には、下方に長く突出するロック解除ピン６２ｃと、十字状に突出して形成されたガイド突起６２ｄが形成されている。
【００６５】
圧縮コイルばね６３は、第２凹部６０ｍ内に収容され、解除ボタン６２を上方に付勢するものであり、その下端部が前記したガイド突起６０ｎ（図７参照）の環状部に嵌合することで支持され、上端部がガイド突起６２ｄに嵌合することで支持される。なお、解除ボタン６２が操作されていない場合には、圧縮コイルばね６３の付勢力によって、解除ボタン６２が押し上げられるとともに、操作面６２ａと上カバー６０の上面とが面一となる位置において、係合爪６２ｂが係合孔６０ｑに係止される。
【００６６】
図７に戻って、係合突起６４は、後方に向けて延びる係合部６４ａと、係合部６４ａより側方かつ前方に位置する被押圧部６４ｂ，６４ｂと、を有している。係合部６４ａの先端部の上面には、上方に突出するとともに幅方向（左右方向）に延びる突条の係止突起６４ａ１が形成されている。
【００６７】
係合部６４ａは、側面視台形状に形成され、前面６４ｓの幅方向の中央部にばね挿入穴６４ｃが前後方向に沿って形成されている。また、係合部６４ａは、前記貫通孔６０ｇに第１凹部６０ａ内から挿入される。被押圧部６４ｂは、側面視略三角形状を呈し、後上向きのテーパ面６４ｂ１を有し、前記スライド部６０ｈ上に配置される。
【００６８】
圧縮コイルばね６５は、一端が係合突起６４のばね挿入穴６４ｃに挿入され、他端がばね支持突起６０ｆ１に支持され、係合突起６４を貫通孔６０ｇから外側（後方）に付勢するようになっている。
【００６９】
図９は、塵埃収容部の一部分解斜視図である。
集塵ケース４０の上面４０ａは、集塵ケース４０の上部を覆うとともに、蓋部５０の上面を覆うように凸湾曲状に張り出すように形成されている。蓋部５０の上方に位置する上面４０ａには、略四角形状の枠体４５が上方に突設されている。
【００７０】
枠体４５の左右の側面４５ａ，４５ａには、軸受部４５ｂが形成されている。この軸受部４５ｂは、上端が開放するようにしてＵ字状に切り欠かれ、後記するロック部材６６の軸部６６ｃが軸支されるようになっている。また、枠体４５内には後記する圧縮コイルばね６７の一端（下端）を支持するガイド突起４６が突設されている。
【００７１】
ロック部材６６は、左右両端面に軸部６６ｃ，６６ｃが突出して形成された基部６６ａと、この基部６６ａから前方に一体に形成された鉤状の爪部６６ｂとを有している。基部６６ａの上面には、円形状の突起部６６ｄが形成され、基部６６ａの下面には、圧縮コイルばね６７を支持するガイド突起６６ｅが形成されている。
【００７２】
また、ロック部材６６は、前記枠体４５内に収容され、軸部６６ｃ，６６ｃが軸受部４５ｂ，４５ｂに支持されることで、ロック部材６６が回動軸Ｓ２を支点としてシーソー支持されるように構成されている。
【００７３】
なお、枠体４５内の上面４０ａには、前記爪部６６ｂを蓋部５０側に進退させる貫通孔４０ａ１（図１０（ａ）参照）が形成されている。また、上面４０ａの後部は、上方に突出する膨出部４０ａ２を有し、膨出部４０ａ２の内側に、集塵フィルタ４３の上端部が収容されるようになっている（図６参照）。また、集塵フィルタ４３の上部には、集塵ケース４０と集塵フィルタ４３とを掛止する掛止部７０，７０が設けられている。この掛止部７０と集塵フィルタ４３との掛止状態については図示を省略する。掛止部７０は、集塵フィルタ４３を集塵ケース４０に固定させるための形状であり、ヒンジ部４４（図５参照）に回動可能に取り付けられた集塵フィルタ４３を掛止部７０，７０で固定している。
【００７４】
係合突起６４の係合部６４ａは、ハンドル６１が操作されていない場合、圧縮コイルばね６５の付勢力によって上カバー６０の後端面から後方に突出している（図４参照）。これにより、係合部６４ａが、掃除機本体１側に設けられた係合孔１ａ（図６参照）に係止されることで、塵埃収容部３０が掃除機本体１に支持される。
【００７５】
次に、塵埃収容部３０の各動作について図１０ないし図１２を参照して説明する。図１０（ａ）は、図４のＢ−Ｂ線断面図、図１０（ｂ）は図４のＣ−Ｃ線断面図、図１１は蓋部が開放したときの塵埃収容部を図４のＢ−Ｂ線に対応する位置で切断したときの断面図、図１２は蓋部が開放したときの塵埃収容部を図４のＣ−Ｃ線に対応する位置で切断したときの断面図である。
【００７６】
まず、ハンドル６１を操作する前の塵埃収容部３０の状態について説明する。
図１０（ａ）に示すように、塵埃収容部３０が掃除機本体１（図１、図６参照）に装着され（不図示）、ハンドル６１が操作されていない場合には、集塵ケース４０の開口面Ｍ１が蓋部５０によって閉塞されている。
【００７７】
このとき、解除ボタン６２が押下げられていないため、ロック部材６６が圧縮コイルばね６７の付勢力によって軸部６６ｃ（回動軸Ｓ２、図９参照）を支点として反時計回り方向に回動されており、ロック部材６６の爪部６６ｂが貫通孔４０ａ１から下方に突出して被係合突起５６と係合している。これにより、蓋部５０が開放しないようにロックされ、開口面Ｍ１が閉塞している。
【００７８】
また、係合突起６４の係合部６４ａは、圧縮コイルばね６５の付勢力によって付勢され、上カバー６０の後面６０ａ２の貫通孔６０ｇから後方に突出している。このように係合部６４ａが突出しているのは、図１０（ｂ）に示すように、係合突起６４の被押圧部６４ｂが、ハンドル６１に形成された押圧突起６１ｅと離間しているため、圧縮コイルばね６５の付勢力によって係合突起６４が後方に移動しているからである。
【００７９】
なお、蓋部５０によって開口面Ｍ１が閉じられた状態では、塵埃収容部３０の重心Ｇが、図１０（ａ）に示す位置にある。すなわち、塵埃収容部３０の重心Ｇは、ハンドル６１の持ち手部である前板部６１ａとハンドル６１の回動軸Ｓ１との間に位置するように構成されている。
【００８０】
図１１に示すように、ハンドル６１の前板部（持ち手部）６１ａを把持した状態（前板部６１ａに指を掛けた状態）では、回動軸Ｓ１を支点として、集塵ケース４０が反時計回り方向に回動して、回動軸Ｓ１と塵埃収容部３０の重心Ｇとが鉛直方向Ｓａ上に位置するように動作する。これにより、集塵ケース４０の開口面Ｍ１のラインＳｂが鉛直方向Ｓａに対して下向き（前傾）となる。なお、図１１では、蓋部５０を開放した状態も合わせて図示しているが、蓋部５０が閉じている場合においても同様に、集塵ケース４０の開口面Ｍ１のラインＳｂが鉛直方向Ｓａに対して下向きとなる。
【００８１】
また、解除ボタン６２を押下げることにより、蓋部５０の被係合突起５６とロック部材６６の爪部６６ｂとの係合状態が解除され、蓋部５０がヒンジ部５４を支点として反時計回り方向に回動し、集塵ケース４０の開口面Ｍ１が開放する。また、このとき、集塵ケース４０内の集塵かご４１がねじりコイルばね４２ａの付勢力によって、下端部の軸４１ｄ（図５参照）を支点として回動しながら開口面Ｍ１から集塵かご４１の一部が突出する。また、集塵かご４１が突出する際、上容器４１ａと下容器４１ｂとが上下に割れる。
【００８２】
これにより、集塵かご４１の上容器４１ａの開放面Ｍ２（図１１参照）のラインＳｃが、開口面Ｍ１のラインＳｂよりもさらに下向き（前傾）となる。
【００８３】
また、図１０に示す状態から、塵埃収容部３０のハンドル６１の持ち手部（前板部６１ａ）を上カバー６０に対して回動軸Ｓ１（軸部６１ｄ）を支点として回動するように引き上げると、塵埃収容部３０を掃除機本体１から取り外すことができる。
【００８４】
すなわち、図１２に示すように、掃除機本体１（図１参照）から塵埃収容部３０を取り外す際にハンドル６１を上カバー６０に対して上方へ引き上げると、ハンドル６１が回動軸Ｓ１（図１１参照）を支点として時計回り方向に回動することにより、ハンドル６１の後板部６１ｂが第１凹部６０ａ内に入り込み、上板６１ｂ１が傾斜状態となる。このとき、上板６１ｂ１の下面に形成された押圧突起６１ｅが同時に下方に向けて回動し、押圧突起６１ｅが係合突起６４の被押圧部６４ｂのテーパ面６４ｂ１に当接する。そして、押圧突起６１ｅがさらに下方に向けて回動することにより、押圧突起６１ｅが被押圧部６４ｂのテーパ面６４ｂ１上をスライドし、被押圧部６４ｂの押圧力によって被押圧部６４ｂが圧縮コイルばね６５の付勢力に抗しながら前方へスライドする。このようにして、係合部６４ａが前方へスライド移動することで、係合部６４ａが上カバー６０内に引っ込む。よって、塵埃収容部３０と掃除機本体１との係合状態が解除され、塵埃収容部３０を掃除機本体１から取り外すことができる。
【００８５】
また、ハンドル６１が引き上げられた場合、ハンドル６１のフランジ部６１ａ３が第１凹部６０ａの開口縁部に掛止されることで（図１２参照）、ハンドル６１の回動が規制されるように構成されている。
【００８６】
また、図１１および図１２に示すように、圧縮コイルばね６３（図７参照）の付勢力に抗しながら解除ボタン６２が押し下げられると、ロック解除ピン６２ｃ（図１２参照）が貫通孔６０ｐ（図８参照）内を貫通して下降し、ロック解除ピン６２ｃの先端（下端）がロック部材６６の基部６６ａの上面を押圧する。これにより、圧縮コイルばね６７（図１０参照）の付勢力に抗しながら、回動軸Ｓ２（図９参照）を支点として、ロック部材６６が時計回り方向に回動する（図１２参照）。これにより、爪部６６ｂが持ち上げられて貫通孔４０ａ１内に収納されることで、蓋部５０の被係合突起５６（図１１参照）との係合が解除される。これにより、ねじりコイルばね４２ａの付勢力によって集塵かご４１が集塵ケース４０から押し出されるときの押し出し力を受けて蓋部５０が開放する。
【００８７】
このような電気掃除機１００では、塵埃収容部３０が集塵ケース４０と可動式のハンドル６１と開閉式の蓋部５０（蓋部）とを備え、蓋部５０によって閉じられる集塵ケース４０の開口面Ｍ１が集塵ケース４０の塵埃導入方向と略平行であり、蓋部５０によって集塵ケース４０が閉じられているときの塵埃収容部３０の重心がハンドル６１の前板部（持ち手部）６１ａとハンドル６１の回動軸Ｓ１との間に位置している（図１０（ａ）参照）。これによれば、ハンドル６１の前板部（持ち手部）６１ａを手で掛けて持ったときに、重心Ｇが鉛直方向Ｓａ上に位置するように移動することで、集塵ケース４０の開口面Ｍ１を鉛直方向Ｓａに対して下向き（おじぎする向き）にでき、集塵ケース４０内の塵埃を、床面に置かれたごみ箱に廃棄する際の処理が容易になる。つまり、使用者がハンドル６１を持ったときに、開口面Ｍ１が鉛直方向Ｓａに対して自然に下向きになるので、集塵ケース４０の開口面Ｍ１をゴミ箱に意図的に向ける必要がなく、またはごみ箱に向ける角度を小さくできる。
【００８８】
また、電気掃除機１００では、塵埃収容部３０が掃除機本体１に装着されているときに開口面Ｍ１が鉛直方向に対して上向きに設定され（図１、図６参照）、掃除機本体１から取り外されたときに開口面Ｍ１が鉛直方向に対して下向きとなるように構成されている。これによれば、塵埃収容部３０を掃除機本体１に装着している場合に上向きとすることで、集塵かご４１内に溜まった塵埃が凹部５２や連絡路５１を通って塵埃収容部３０から落下するのを防止することができ、しかも塵埃の廃棄処理が容易になる。
【００８９】
また、電気掃除機１００によれば、集塵ケース４０内に開口面Ｍ１に向けて開放する集塵かご４１が設けられ、開口面Ｍ１が開放したときに、集塵かご４１の開放面Ｍ２が集塵ケース４０の開口面Ｍ１に対してさらに下向きに設定することができる。これによれば、集塵かご４１の開放面Ｍ２（図１１参照）を鉛直方向Ｓａに対して、開口面Ｍ１よりもさらに下向きにすることができるので、集塵かご４１内の塵埃を廃棄する際の処理がさらに容易になる。
【００９０】
また、電気掃除機１００では、塵埃収容部３０は掃除機本体１と係合する係合部６４ａを有し、係合部６４ａは、ハンドル６１の操作に連動して掃除機本体１との係合状態が解除される。これによれば、集塵ケース４０の開口面Ｍ１を下向きにする機能と、掃除機本体１とのロックを解除する機能と、をひとつのハンドル６１で行うことができ、部品点数を削減でき、内部の動作機構を簡略化できる。
【００９１】
図１３は、塵埃分離部を示す上面図である。
塵埃分離部２０の上面２０ａには、平面視略Ｌ字状に形成されたガイド部２０ｂ，２０ｂが形成されている。ガイド部２０ｂ，２０ｂは、連絡路２６と開口２７との間で、かつ、連絡路２６の左右両端部の後方に位置に位置している。つまり、ガイド部２０ｂ，２０ｂは、連絡路２６および開口２７の近傍に位置している。
【００９２】
ガイド部２０ｂは、前後方向に延びる起立部２０ｂ１と、この起立部２０ｂ１の前端から直交する外側方に延びる起立部２０ｂ２と、を有し、略Ｌ字状を呈している。なお、起立部２０ｂ１の内側面には、補強用のリブ２０ｂ３，２０ｂ４が前後方向に間隔を置いて形成されている。また、ガイド部２０ｂ，２０ｂの後方には、塵埃分離部２０を掃除機本体１から取り外す際のつまみ部２０ｄ，２０ｄが立設されている。なお、つまみ部２０ｄ，２０ｄは、例えば、一方を親指で、他方をひとさし指でつまんで引き上げることにより、塵埃分離部２０を掃除機本体１から取り外すことができる。
【００９３】
図１４は、塵埃収容部を示す下面図である。
集塵ケース４０の底板４０ｂ１は、略矩形状に形成され、左右方向の中央、かつ、蓋部５０寄りに円形の開口４０ｔが貫通して形成されている。
【００９４】
蓋部５０の底板５０ｃは、前方に向けて略山型に突出して形成され、底板５０ｃよりも一回り小さく、かつ、底板５０ｃの外周に略沿う形状の連絡路５１が形成されている。つまり、蓋部５０は、単なる薄い板状の平面的な形状ではなく、底板５０ｃを有する立体的な形状である。
【００９５】
集塵ケース４０と蓋部５０とは、それぞれの下面４０ｂ２，５０ｃ１同士がヒンジ部５４，５４を介して連結されている。すなわち、ヒンジ部５４は、蓋部５０の下面５０ｃ１から集塵ケース４０の下面４０ｂ２に向けて延びるアーム部５４ａと、集塵ケース４０の下面４０ｂ２に設けられ、アーム部５４ａの先端に設けられた軸５４ａ１（図５参照）を回動自在に支持する軸受部５４ｂと、で構成されている。
【００９６】
また、ヒンジ部５４は、アーム部５４ａが軸受部５４ｂの外側に位置している。また、アーム部５４ａの基端部は、蓋部５０の下面５０ｃ１の後端に位置している。また、軸受部５４ｂは、集塵ケース４０の下面４０ｂ２の前端に位置している。
【００９７】
図１３に戻って、塵埃分離部２０の上部に塵埃収容部３０を重ねた場合、図１３において２点鎖線で示すように、ヒンジ部５４の軸受部５４ｂがガイド部２０ｂに当接する。すなわち、軸受部５４ｂの側面がガイド部２０ｂの起立部２０ｂ１に当接し、軸受部５４ｂの前端がガイド部２０ｂの起立部２０ｂ２に当接する。
【００９８】
このように、電気掃除機１００では、ヒンジ部５４，５４がガイド部２０ｂ，２０ｂによって位置決めされることで、塵埃収容部３０が塵埃分離部２０に対して前方、左右に移動することや、ねじり方向（図１３の時計回り方向、反時計回り方向）に移動することを規制することができる。なお、塵埃収容部３０の後方への移動については、塵埃分離部２０の背面が掃除機本体１に装着されることにより（図６参照）、当然に規制することができる。
【００９９】
したがって、塵埃分離部２０の開口２７（図１３参照）と塵埃収容部３０の開口４０ｔ（図１４参照）との境界での気密性、および塵埃分離部２０の連絡路２６（図１３参照）と塵埃収容部３０の連絡路５１（図１４参照）との境界での気密性が損なわれるのを低減できる。
【０１００】
また、電気掃除機１００では、ヒンジ部５４がガイド部２０ｂによって、気密を必要とする連絡路２６（５１）、開口２７（４０ｔ）の近傍（直近）において位置決めするようにしているので、連絡路２６，５１どうし、開口２７，４０ｔどうしの位置ずれを抑制することができ、境界部分からのリークを低減できる。
【０１０１】
また、電気掃除機１００では、ヒンジ部５４を利用して、塵埃収容部３０を塵埃分離部２０に位置決めすることができるので、位置決めのための部材をヒンジ部と別に設ける必要がなくなり、部品点数の削減を図ることができる。
【０１０２】
また、電気掃除機１００では、ヒンジ部５４を塵埃収容部３０の下面（塵埃分離部２０側）に配置したので、塵埃収容部３０を掃除機本体１に装着したときに、ヒンジ部５４やガイド部２０ｂによる凹凸を外観上視認できない位置に隠すことができ、凹凸部分による引っ掛かりを無くして、塵埃収容部３０を取り扱い易くできる。
【０１０３】
図１５は、集塵かごにティッシュを装着するときの手順を示し、（ａ）は蓋部を閉める前の状態、（ｂ）は蓋部を閉めた後の状態である。なお、図１５（ａ），（ｂ）は、ティッシュＴの状態を分かり易くするために、ティッシュＴの厚みを誇張して図示している。集塵かご４１にティッシュＴを装着して電気掃除機１００を使用することで、集塵かご４１に溜まったごみ（塵埃）をごみ箱などに廃棄する際に、集塵かご４１内のごみ（塵埃）を容易に排出することができる。
【０１０４】
図１５（ａ）に示すように、集塵かご４１にティッシュＴ（市販のボックスティッシュなど）を装着する手順としては、まず、塵埃収容部３０の蓋部５０を開放して、集塵ケース４０の背面を下向きにして床面２００などに載置する。これにより、集塵かご４１の開口が上向きとなるので、ティッシュＴの装着が容易になる。また、蓋部５０を開放すると、集塵かご４１の一部がねじりコイルばね４２ａの付勢力によって重量に逆らって集塵ケース４０から突出する（図１２参照）。
【０１０５】
そして、ティッシュＴの一端ｔ１を集塵かご４１の上端（図１５（ａ）では右端）よりも上側に位置決めして、ティッシュＴの一端ｔ１を集塵かご４１の外側に向けて折り返す。さらに、図１５（ａ）に示すように、集塵かご４１の上端縁部４１ｇを、集塵ケース４０から突出した爪部６６ｂに引っ掛けって、ティッシュＴの上部を集塵ケース４０と集塵かご４１とで挟み込む。そして、ティッシュＴを集塵かご４１の内面に沿って重ねる。ちなみに、塵埃収容部３０などを小型化したことにより、ティッシュＴの他端ｔ２が、集塵かご４１よりも下方のヒンジ部５４まではみ出すようになる。
【０１０６】
そして、図１５（ｂ）に示すように、蓋部５０を閉じることにより、ティッシュＴの他端ｔ２が折り返されて、ティッシュＴの折り返し部分が、集塵かご４１と蓋部５０とで挟まれる。また、ティッシュＴの上部においても、集塵かご４１と蓋部５０とで挟み込まれる。
【０１０７】
このように、電気掃除機１００では、集塵かご４１の周縁部に位置するティッシュＴが蓋部５０によって挟まれて保持されることにより、電気掃除機１００の使用時（吸引時）に集塵かご４１の内壁面に位置するティッシュＴがめくれて、集塵かご４１とティッシュＴとの間に塵埃が溜まるなどの不都合が生じるのを防止できる。
【０１０８】
また、電気掃除機１００では、集塵ケース４０の開口面Ｍ１と異なる下面４０ｂ２に開口４０ｔを設けたことにより、蓋部５０を閉めたときに、開口４０ｔがティッシュＴで塞がれるのを防止することができる。
【０１０９】
また、電気掃除機１００では、ヒンジ部５４を塵埃収容部３０の下面（集塵ケース４０の下面４０ａ２、蓋部５０の下面５０ｃ１）に設けたので、蓋部５０を開放したときの開放角度を大きく確保することができ、ティッシュＴを装着し易くなる。
【０１１０】
また、塵埃収容部３０の蓋部５０は、前面が湾曲した外周面５０ｄ（図１４参照）に対応する略半月状の底板５０ｃ（図１４参照）を有し、この底板５０ｃの下面５０ｃ１が塵埃分離部２０の上面に対向して配置されている。なお、ヒンジ部５４の位置は、前記した構成に限定されるものではない。
【０１１１】
これにより、塵埃分離部３０を掃除機本体１に装着している状態において、解除ボタン６２を押圧操作して、蓋部５０の被係合突起５６と、集塵ケース４０のロック部材６６との間でのロックが解除されたとしても、蓋部５０の底板５０ｃの下面５０ｃ１が塵埃収容部２０に当接して、蓋部５０の開放動作が規制されるので、蓋部５０が開くことはない。よって、塵埃収容部３０を掃除機本体１から取り外して初めて蓋部５０を開くことができる。したがって、電気掃除機１００の使用中に、解除ボタン６２が誤って押されて蓋部５０が開放するのを防止することができる。また、塵埃収容部３０を掃除機本体１に装着したときに、解除ボタン６２を押圧操作できないようにするカバーなどを設ける必要もない。
【０１１２】
図１６は、蓋部を開放するときの手順を示し、（ａ）は蓋部開放前の手の状態を示す断面図、（ｂ）は蓋部開放後の手の状態を示す断面図である。
塵埃収容部３０を掃除機本体１から取り外す場合には、例えば、塵埃収容部３０の前方から、指を後方に延ばし、挿入部６１ｓに指を挿入して、指の先端を前方に折り曲げて、指の先端の腹面（爪の反対側の面）を前板部６１ａの上板６１ａ１の下面と接触するようにする。また、挿入部６１ｓの上方から挿入するようにしてもよく、挿入部６１ｓの斜め後方から挿入するようにしてもよい。いずれの場合であっても、挿入部６１ｓに挿入した指（親指を除く）の腹面が前板部６１ａの上板６１ａ１の下面と当接する。また、挿入する指は、親指を除く、四指であってもよく、三指以下であってもよい。
【０１１３】
そして、図１６（ｂ）に示すように、ハンドル６１を上方に引き上げることにより、前記で説明したように、係合部６４ａが塵埃収容部３０内に後退し、掃除機本体１との係合が解除される。このようにハンドル６１を引き上げると、集塵ケース４０の上面４０ａとハンドル６１との間に形成される空間Ｑ１（図１６（ａ）参照）を空間Ｑ２（図１６（ｂ）参照）に拡大することができるので、指が入れ易くなり、塵埃収容部３０の取り扱い性を向上できる。
【０１１４】
つまり、電気掃除機１００を小型化することにより、塵埃収容部３０が小型化され、ハンドル６１周りの部品も小型化され、指を挿入するスペースも小さくなる。しかし、前記のようにハンドル６１を可動式にすることにより、指を挿入する空間Ｑ１を空間Ｑ２に拡大できるので、小型化した場合であっても指の挿入が容易になる、すなわち、指を奥まで入れることが可能になり、塵埃収容部３０をしっかりと手で保持できるようになる。
【０１１５】
また、解除ボタン６２を、ハンドル６１の近傍であって、指をハンドル６１に掛けたときの指（親指を除く四指）の先端が向く方向に配置することにより、指をハンドル６１に引っ掛けた状態で、解除ボタン６２を残りの親指で押圧操作することができる。このように、塵埃収容部３０を掃除機本体１から取り外す動作から、蓋部５０を開放してゴミ捨てを行うという一連の動作を片手で行うことが可能になる。
【０１１６】
また、ハンドル６１を引き上げたときに、ハンドル６１のフランジ部６１ａ３が第１凹部６０ａの開口縁部に掛止されることで、ハンドル６１の回動が規制されるので（図１６（ｂ）参照）、親指で解除ボタン６２を押圧操作する際の押圧力を増すことができ、解除ボタン６２を押し易くできる。
【０１１７】
図１７は、図６のＡ部拡大図である。なお、図１７では、主要部を、太線で縁取りして図示している。また、図１７は、塵埃収容部３０が掃除機本体１に装着されている状態である。なお、図１７において太線で示す状態が、装着時の塵埃収容部３０と掃除機本体１との位置関係に相当する。
【０１１８】
係合部６４ａ（突出部）は、掃除機本体１に向けて突出し、掃除機本体１に形成された係合孔１ａに当該係合部６４ａの先端部が挿入されている。詳述すると、係合部６４ａは、掃除機本体１に向かって直線状に延びる上面６４ａ１を有し、係合孔１ａに対向している。上面６４ａ１の先端には、略矩形状の係止突起６４ａ２が形成されている。なお、塵埃収容部３０を掃除機本体１に装着する際の上面６４ａ１と平行な方向（係合部６４ａが突出する方向）が、装着方向Ｚに相当する。
【０１１９】
係止突起６４ａ２は、上面６４ａ１に対して直交する起立面６４ａ３を有している。また、係止突起６４ａ２の先端角部には、Ｒ形状の湾曲面６４ａ４が形成されている。なお、この係止突起６４ａ２は、掃除機本体１を下向きにしたときに、塵埃収容部３０が掃除機本体１から外れないようにするものである。すなわち、係止突起６４ａ２の起立面６４ａ３の上端部が、係合孔１ａの内壁面１ｂの下端部に当接して係止されることで、掃除機本体１の塵埃収容部３０を下向きにしたときに、係合部６４ａと係合孔１ａとが係合され、塵埃収容部３０が掃除機本体１から抜け落ちないようになっている。
【０１２０】
また、係合部６４ａの上面６４ａ１は、掃除機本体１の係合孔１ａと所定の隙間Ｓ１０を開けて配置されている。なお、所定の隙間Ｓ１０は、前記したように、係止突起６４ａ２を係合孔１ａに係止できる距離に設定される。また、上面６４ａ１と、この上面６４ａ１と対向する係合孔１ａの面とは、装着方向Ｚに一致し、かつ、互いに平行となるように構成されている。また、上面６４ａ１は、係合孔１ａの下側に位置している。
【０１２１】
図１８は、（ａ）は軸が傾斜した塵埃収容部の抜き取り可能な範囲を示す概略図、（ｂ）は抜き方向が装着方向に対して９０度よりも大きいときの作用図、（ｃ）は抜き方向が装着方向に対して９０度のときの作用図、（ｄ）は軸が鉛直方向である塵埃収容部の抜き取り可能な範囲を示す概略図である。なお、抜き方向とは、掃除機本体１から塵埃収容部３０を抜く方向を意味している。
【０１２２】
図１８（ａ）に示すように、後傾した塵埃収容部３０を備えた電気掃除機の場合には、抜き方向が角度Ｗ１（装着方向Ｚに対して９０度は除く）の範囲内において、塵埃収容部３０を掃除機本体１から抜き取ることができる。なお、図１８では、説明の便宜上、係止突起６４ａ２を図示しない状態で説明する。
【０１２３】
例えば、図１８（ｂ）に示すように、塵埃収容部３０の抜き方向が鉛直方向上向きの場合には、係合部６４ａが係合孔１ａに当接すると、係合部６４ａに対して鉛直方向上向きの力Ｆが作用するが、このとき力Ｆに対して上面６４ａ１に直交する方向（塵埃収容部３０の軸方向）の分力Ｆ１と、上面６４ａ１に平行な方向（塵埃収容部３０の軸方向に直交する方向）の分力Ｆ２とが発生する。このように分力Ｆ２が発生することにより、係合部６４ａを係合孔１ａから引き抜く方向（装着方向Ｚとは逆向き）に動作させることが可能になる。
【０１２４】
このように、塵埃収容部３０の抜き方向が、装着方向Ｚに対して９０度よりも大きい角度の場合には、塵埃収容部３０の本体を把持して引っ張ってしまったとしても、係合部６４ａが係合孔１ａから直ちに抜け出るので、塵埃収容部３０が掃除機本体１とともに持ち上がることがない。
【０１２５】
これに対して、図１８（ｃ）に示すように、抜き方向が装着方向Ｚに対して９０度の角度の場合（比較例）には、係合部６４ａが係合孔１ａに当接すると、係合部６４ａに対して上面６４ａ１に直交する向きの力Ｆ１０が作用する。このときの力Ｆ１０に対して、逆向きの反力Ｆ１１が係合部６４ａの上面６４ａ１に向けて作用する。つまり、係合部６４ａに対して、掃除機本体１の荷重全体が作用することになり、係合部６４ａが係合孔１ａから抜け出ることはない。
【０１２６】
また、図１８（ｄ）に示すように、掃除機本体１に対して塵埃収容部３０の軸Ｇ１０が鉛直方向となるように取り付けられる電気掃除機にも適用できる。この場合には、角度Ｗ２の範囲内において、塵埃収容部３０をその外周面を把持して引き抜くだけで、塵埃収容部３０を掃除機本体１から抜き取ることができる。
【０１２７】
図１８（ａ）および図１８（ｄ）に示すように、角度Ｗ１，Ｗ２の範囲で塵埃収容部３０が掃除機本体１から抜けるように、係合部６４ａと係合孔１ａとの位置関係を設定したことにより、仮にハンドル６１以外の塵埃収容部３０の本体部分を手で掴んで持ち上げようとした場合であっても、塵埃収容部３０が掃除機本体１から直ちに外れる。よって、塵埃収容部３０が掃除機本体１とともに持ち上がることがない。
【０１２８】
また、電気掃除機１００では、係合部６４ａの先端に係合孔１ａに係止される係止突起６４ａ２を形成することで、掃除機本体１に塵埃収容部３０を装着した状態で、例えば、塵埃収容部３０が下向きとなるように掃除機本体１を傾けたとしても、掃除機本体１から塵埃収容部３０が脱落するのを防止できる。
【０１２９】
また、電磁掃除機１００では、係合部６４ａを装着方向Ｚに向けて付勢する圧縮コイルばね６５（付勢部材）を備えることで、塵埃収容部３０を掃除機本体１に装着する際に、係合部６４ａを係合孔１ａに対して真っ直ぐに挿入する場合ではなく、塵埃収容部３０の底面側を支点として回動させて、係合部６４ａが装着方向Ｚに対して傾斜する方向から挿入されようとした場合であっても、係合部６４ａが圧縮コイルばね６５の付勢力に抗して後退することで、係合部６４ａを係合孔１ａに挿入することができる。すなわち、係合部６４ａが係合孔１ａに対して装着方向Ｚと平行に挿入されない場合であっても、係合部６４ａを係合孔１ａに容易に挿入することが可能になる。
【０１３０】
なお、本発明は前記した実施形態に限定されるものではなく、本発明の趣旨を逸脱しない範囲において種々変更できる。例えば、前記した実施形態では、塵埃収容部３０側の凸形状の係合部６４ａ、掃除機本体１側に係合部６４ａが挿入される係合孔１ａの場合を例に挙げて説明したが、逆に、掃除機本体１側に凸形状の係合部、塵埃収容部３０側に係合部が挿入される係合孔が形成される構成であってもよい。
【０１３１】
また、前記した実施形態では、塵埃収容部３０と塵埃分離部２０とが分離した構成を例に挙げて説明したが、塵埃収容部３０と塵埃分離部２０とが一体に形成されたものであってもよい。なお、この場合には、一体に構成したものを塵埃収容部とし、この一体に構成したものの下面にヒンジ部（ヒンジ部５４に相当するもの）を設けて、ヒンジ部が掃除機本体１内に収容されるような構成であってもよい。
【符号の説明】
【０１３２】
１      掃除機本体
１ａ    係合孔
１０    サイクロン集塵装置
２０    塵埃分離部
２６    連絡路
３０    塵埃収容部
４０    集塵ケース
４１    集塵かご
５０    蓋部
５１    連絡路
５２    凹部
５３    逆止弁
６０    上カバー
６０ａ  第１凹部
６０ｆ  ばね支持部
６０ｆ１  ばね支持突起
６０ｇ  貫通孔
６０ｍ  第２凹部
６１    ハンドル
６１ｄ  軸部
６２    解除ボタン
６４    係合突起
６４ａ  係合部（突出部）
６４ａ１  上面
６４ａ２  係止突起
６４ｂ  被押圧部
６４ｂ１  テーパ面
６４ｃ  ばね挿入穴
６５    圧縮コイルばね（付勢部材）
１００  電気掃除機
Ｇ      重心
Ｍ１    開口面
Ｍ２    開放面
Ｓ１    回動軸
Ｚ      装着方向
【図１】
2014008301.tif 000003
【図２】
2014008301.tif 000004
【図３】
2014008301.tif 000005
【図４】
2014008301.tif 000006
【図５】
2014008301.tif 000007
【図６】
2014008301.tif 000008
【図７】
2014008301.tif 000009
【図８】
2014008301.tif 000010
【図９】
2014008301.tif 000011
【図１０】
2014008301.tif 000012
【図１１】
2014008301.tif 000013
【図１２】
2014008301.tif 000014
【図１３】
2014008301.tif 000015
【図１４】
2014008301.tif 000016
【図１５】
2014008301.tif 000017
【図１６】
2014008301.tif 000018
【図１７】
2014008301.tif 000019
【図１８】
2014008301.tif 000020